(57)【要約】【課題】詰まった現金を取り除く復旧作業を行う際に、視線の移動により作業効率が悪化することを防止し、復旧作業の作業効率を向上させた現金処理装置を提供する。【解決手段】現金処理装置は、挿入口１１および払出口１２を介して金庫Ａ〜Ｄに現金を入出金する装置であり、挿入口１１、払出口１２および金庫Ａ〜Ｄを接続する搬送経路２１を有し搬送経路２１を介して現金を搬送する搬送手段２と、搬送経路２１および金庫Ａ〜Ｄを含め現金が搬送される部位又はその近傍に配置された複数の発光部５０〜５９とを有し、複数の発光部５０〜５９のうち現金詰まり位置の近くに配置された発光部５５を作動させて現金詰まり位置を外部（作業者）へ報知する。【選択図】図７
2011053886.tif 000002
【特許請求の範囲】
【請求項１】
挿入口および払出口を介して金庫に現金を入出金する現金処理装置であって、
前記挿入口、前記払出口および前記金庫を接続する搬送経路を有し当該搬送経路を介して現金を搬送する搬送手段と、
前記搬送手段により搬送される現金が詰まった位置を特定する位置特定手段と、
前記搬送経路および前記金庫を含め現金が搬送される部位又はその近傍に配置された複数の発光部と、
前記位置特定手段が現金詰まり位置を特定した場合に当該現金詰まり位置を外部へ報知する制御手段とを具備してなり、
前記制御手段は、前記複数の発光部のうち前記位置特定手段により特定された現金詰まり位置の近くに配置された前記発光部を作動させて現金詰まり位置を外部へ報知することを特徴とする現金処理装置。
【請求項２】
前記位置特定手段は、搬送される現金の位置を検出する複数の位置検出センサと、前記複数の位置検出センサによる検出結果に基づいて現金が詰まった位置を特定する詰まり位置特定部とを含んでなり、
前記制御手段は、前記詰まり位置特定部により特定される現金詰まり位置と作動させる発光部とを関連付けた情報を記憶する記憶部と、前記詰まり位置特定部により特定された現金詰まり位置と前記記憶部の記憶とに基づいて前記発光部を作動させる発光制御部とを含んでなる請求項１に記載の現金処理装置。
【請求項３】
挿入口および払出口を介して金庫に現金を入出金する現金処理装置であって、
前記挿入口、前記払出口および前記金庫を接続する搬送経路を有し当該搬送経路を介して現金を搬送する搬送手段と、
搬送中の現金が金庫内現金及び金庫外現金のいずれかであることを表示する一つの内外金表示部と、
搬送中の現金に関する情報を含め前記金庫に関する入出庫情報を管理する制御手段とを具備してなり、
前記制御手段は、前記入出庫情報において搬送中の現金が金庫内現金および金庫外現金のいずれか一方である状態からいずれか他方である状態へ変更した場合に、当該入出庫情報の変更に応じて前記内外金表示部の表示を変更することを特徴とする現金処理装置。
【請求項４】
前記内外金表示部は、前記搬送経路及び前記金庫を含め現金が搬送される部位とともに一側面側から視認可能な位置に配置されている請求項３に記載の現金処理装置。
【請求項５】
前記内外金表示部は、搬送中の現金が金庫内現金及び金庫外現金のいずれかであることを表す表示を電磁的に切り替えて、当該表示を次の切り替え時まで機械的に維持するものである請求項３又は４に記載の現金処理装置。
【発明の詳細な説明】
【技術分野】
【０００１】
本発明は、現金の投入に応じて発券や商品販売等の取引を行い、釣りを返却する自動発券機等に用いる現金処理装置に係り、特に現金詰まりを主因とする障害を復旧する機能を備えた現金処理装置に関する。
【背景技術】
【０００２】
自動発券機や自動販売機等の現金処理装置は、現金を収納する金庫を有し、利用者側に設けられた現金を挿入する挿入口および釣り札等の現金を返却する払出口を介して金庫に現金を入出金するものである。この現金処理装置は、挿入口、払出口及び金庫を接続する搬送経路と現金を識別する識別部と現金の位置を検出する位置検出センサとを有する搬送手段と、この搬送手段を通じて現金を搬送させ取引に応じた入出金制御を行う制御手段とを備える構成が通例である。
【０００３】
このような従来の現金処理装置は、現金を搬送する過程で現金が詰まる障害が発生することがあり、この障害が発生すると、障害復旧作業者が詰まった現金を手動で取り除いたうえで、取引をやり直す場合には回収した現金を利用者（外部）や金庫等の適切な場所に戻し、取引を進める場合には未払い金を利用者に支払う等の障害復旧作業が必要になる。この復旧作業に関連して特許文献１には、現金が詰まった位置等の異常発生位置を操作部の画像表示部で表示する現金処理装置が開示されている。
【先行技術文献】
【特許文献】
【０００４】
【特許文献１】特開平９−２３７３６９号公報
【発明の概要】
【発明が解決しようとする課題】
【０００５】
上記従来の現金処理装置では、現金詰まりの可能性がある現金が搬送される部位とは異なる場所に現金詰まり位置を表示する表示部が設けられているので、作業者が詰まった現金を取り除く際に、詰まり位置を表示する表示部と現金が搬送される部位との間で視線を移動させる必要があり煩わしく、作業効率を低下させる要因になる。特に、鉄道の駅に設置される乗車券発券機に適用される場合は、現金が搬送される部位が縦長筐体の下部に配置され、表示部が縦長筐体の上部に配置される構成が通例であり、作業者はしゃがみながら遙か上方に配置された表示部を見上げる必要があり、作業効率を著しく悪化させる。
【０００６】
また、障害発生時の搬送経路上には、例えば金庫に入庫しようとした現金のうち取引成立前であって預かり状態の現金（外金）および取引成立後であって金庫へ格納中の現金（内金）のように、金庫の残高を管理するための入出庫情報に金庫内現金であるとして記憶されている現金（内金）と記憶されていない現金（外金）とが混在している。障害復旧作業者にとっては、詰まった現金（搬送中の現金）が金庫内現金であるか金庫外現金であるかを外見に基づいて判断することができないため、詰まった現金が内金及び外金のいずれであるかを装置により表示する必要があり、この表示は作業者にとって理解しやすいものであることが要求される。
【０００７】
本発明は、このような課題に着目してなされたものであって、その目的は、詰まった現金を取り除く復旧作業を行う際に、視線の移動により作業効率が悪化することを防止し、復旧作業の作業効率を向上させた現金処理装置を提供することである。
【課題を解決するための手段】
【０００８】
本発明は、かかる目的を達成するために、次のような手段を講じたものである。
【０００９】
すなわち、本発明の一構成に係る現金処理装置は、挿入口および払出口を介して金庫に現金を入出金する現金処理装置であって、前記挿入口、前記払出口および前記金庫を接続する搬送経路を有し当該搬送経路を介して現金を搬送する搬送手段と、前記搬送手段により搬送される現金が詰まった位置を特定する位置特定手段と、前記搬送経路および前記金庫を含め現金が搬送される部位又はその近傍に配置された複数の発光部と、前記位置特定手段が現金詰まり位置を特定した場合に当該現金詰まり位置を外部へ報知する制御手段とを具備してなり、前記制御手段は、前記複数の発光部のうち前記位置特定手段により特定された現金詰まり位置の近くに配置された前記発光部を作動させて現金詰まり位置を外部へ報知することを特徴とする。
【００１０】
この構成によれば、搬送経路および金庫を含めて現金が搬送される部位又はその近傍に複数の発光部を設け、これら複数の発光部のうち現金詰まり位置の近くの発光部を作動させるので、視線の移動を要することなく一目で現金の詰まり位置を特定でき、復旧作業の作業効率を向上させることができる。
【００１１】
位置検出センサの位置または現金詰まり位置と発光部の位置とが異なる場合であっても作業者にとって分かりやすい適切な位置の発光部を作動させるためには、前記位置特定手段は、搬送される現金の位置を検出する複数の位置検出センサと、前記複数の位置検出センサによる検出結果に基づいて現金が詰まった位置を特定する詰まり位置特定部とを含んでなり、前記制御手段は、前記詰まり位置特定部により特定される現金詰まり位置と作動させる発光部とを関連付けた情報を記憶する記憶部と、前記詰まり位置特定部により特定された現金詰まり位置と前記記憶部の記憶とに基づいて前記発光部を作動させる発光制御部とを含んでなることが好ましい。
【００１２】
本発明の他の構成に係る現金処理装置は、挿入口および払出口を介して金庫に現金を入出金する現金処理装置であって、前記挿入口、前記払出口および前記金庫を接続する搬送経路を有し当該搬送経路を介して現金を搬送する搬送手段と、搬送中の現金が金庫内現金及び金庫外現金のいずれかであることを表示する一つの内外金表示部と、搬送中の現金に関する情報を含め前記金庫に関する入出庫情報を管理する制御手段とを具備してなり、前記制御手段は、前記入出庫情報において搬送中の現金が金庫内現金および金庫外現金のいずれか一方である状態からいずれか他方である状態へ変更した場合に、当該入出庫情報の変更に応じて前記内外金表示部の表示を変更することを特徴とする。
【００１３】
この構成によれば、搬送中の現金が金庫内現金及び金庫外現金のいずれかであることを表示する内外金表示部が一つだけ設けられているので、詰まった現金が金庫内現金であるか否かを作業者が一目で把握することが可能となり、復旧作業の作業効率を向上させることができる。
【００１４】
視線の移動を要さずに復旧作業の作業効率を著しく向上させるためには、前記内外金表示部は、前記搬送経路及び前記金庫を含め現金が搬送される部位とともに一側面側から視認可能な位置に配置されていることが望ましい。
【００１５】
現金詰まり時等の障害復旧時に電源の切断を可能とするためには、前記内外金表示部が、搬送中の現金が金庫内現金及び金庫外現金のいずれかであることを表す表示を電磁的に切り替えて、当該表示を次の切り替え時まで機械的に維持するものであることが好ましい。
【００１６】
なお、例えば、現金詰まり時等に電力供給が無くても表示を機械的に維持可能なキープソレノイド等を用いた内外金表示部を複数設けると、機械的な動作遅延により複数の内外金表示部の表示に齟齬が生じることが考えられるが、本発明では内外金表示部を一つのみとしているので、このような齟齬が生じることがない。
【発明の効果】
【００１７】
本発明は、以上説明した構成であるから、現金が搬送される部位又はその近傍に設けた発光部の作動を通じて現金の詰まり位置を報知するので、視線の移動を一切要することなく一目で現金の詰まり位置を特定でき、復旧作業の作業性を向上させることができる。
【００１８】
また、内外金表示部が一つだけ設けられているので、詰まった現金が金庫内現金であるか否かを作業者が容易に把握することが可能となり、復旧作業の作業性を向上させることができる。
【図面の簡単な説明】
【００１９】
【図１】本発明の一実施形態に係る現金処理装置を示す概略全体構成図。
【図２】一部の金庫を抜き取った状態を示す図１に対応した図。
【図３】同現金処理装置における発光部および内外金表示部を示す側面図。
【図４】同現金処理装置における搬送手段および制御手段の構成および機能の概略を示すブロック図。
【図５】現金処理装置が記憶する、現金の詰まり位置と作動させる発光部との関連付け情報である詰まり位置発光テーブルを示す模式図。
【図６】同現金処理装置の制御手段で実行される発光制御処理ルーチンを示すフローチャート。
【図７】同現金処理装置において現金が詰まったときに発光部が作動している状態を示す模式図。
【図８】同現金処理装置において取引成立前の内外金表示部の表示制御を示す模式図。
【図９】同現金処理装置において取引成立後の内外金表示部の表示制御を示す模式図。
【発明を実施するための形態】
【００２０】
以下、本発明の一実施形態に係る現金処理装置を、図面を参照して説明する。なお、現金は紙幣と硬貨とを含むが、本実施形態では紙幣を取り扱う紙幣ブロックとしての現金処理装置を例に挙げて説明する。
【００２１】
図１に示す本実施形態の現金処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送手段２とを備えている。
【００２２】
紙幣ブロック１は、この現金処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、係員が操作を行う側に３つのカセット式の金庫Ａ〜Ｃを設けている。また、紙幣ブロック１には、金庫Ａ〜Ｃに対応して設けられこれら金庫Ａ〜Ｃへ識別部２２により真性であると識別された紙幣を収納する前に一次的に保留する一次保留部ａ１〜ｃ１や、搬送経路２１上の紙幣（不良券を含む）を一時的に保留する一時保留部Ｅや出金保留部Ｆが設けられている。また、読み取り不能、金種相違、重送発生、異常検知時の不良券を回収する不良券回収部Ｇが設けられている。
【００２３】
カセット式の金庫Ａ〜Ｃは、図２に例示するように把手ｈを把持して紙幣ブロック１から引き出すことが可能にされている。これら金庫Ａ〜Ｃと紙幣ブロック１との間には、必要に応じて電磁力等を利用して金庫Ａ〜Ｃを引き出し禁止状態にする図示しないロック機構が設けてあり、また、紙幣ブロック１又は金庫Ａ〜Ｃには、引き出し禁止状態か否かを表示して係員に了知させる図示しないＬＥＤ表示部が設けてある。
【００２４】
現金が搬送される部位及びその近傍には、図３に示すように、複数の発光部５０〜５９がＬＥＤにより構成されている。現金が搬送される部位には、搬送経路２１、金庫Ａ〜Ｄ、識別部２２、挿入口１１と識別部２２とを連絡する挿入部２３、一時保留部Ｅ、出金保留部Ｆ、不良券回収部Ｇ、及びこれらを接続する搬送経路２１を備えた搬送手段２が挙げられる。複数の発光部５０〜５９は、これら現金が搬送される部位とともに紙幣ブロック１の一側面側から視認可能に配置されている。
【００２５】
本実施形態では、発光部５０〜５９は、これら現金が搬送され得る主要部位に対応して配置されている。具体的には、挿入部２３に発光部５０、識別部２２に発光部５１、出金保留部Ｆに発光部５２、一時保留部Ｅに発光部５３、金庫Ｄに発光部５４、搬送経路２１の主要部の近傍に発光部５５、不良券回収部Ｇに発光部５６、金庫Ａに発光部５７、金庫Ｂに発光部５８、金庫Ｃに発光部５９が対応して配置されている。
【００２６】
不良券回収部Ｇの係員が操作を行う側には、図３に示すように、一つの内外金表示部４が、現金が搬送される部位とともに紙幣ブロック１の一側面側から視認可能な位置に配置されている。内外金表示部４は、カバーの内部に配置され赤色に着色された赤色領域と緑色に着色された緑色領域を有し回転可能に支持されたプレートと、このプレートを外部から視認可能にするカバーに形成された開口部４１と、プレートを正方向及び逆方向に回転させるキープソレノイドとを含んでおり、キープソレノイドの電磁石部により電磁的にプレートを回転させ、開口部４１を通じて外部から視認可能な領域を赤色領域から緑色領域に、若しくはその逆に切り替えするものである。切り替えた後は、キープソレノイドの永久磁石により電力を供給しなくともプレートの位置を次の切り替え時まで機械的に維持する。本実施形態では、外部から赤色領域が視認できるときは、搬送中の現金が金庫外現金（外金）であることを表示し、外部から緑色領域が視認できるときは、搬送中の現金が金庫内現金（内金）であることを表示するものとしている。
【００２７】
この実施形態では、図４に示すように、金庫Ａを第一金種たる一万円札を格納する第一金種金庫Ａとし、金庫Ｂを第二金種たる五千円札を格納する第二金種金庫Ｂとし、金庫Ｃを第三金種たる千円札を格納する第三金種金庫Ｃとし、金庫Ｄを第四金種たる二千円札を格納する第四金種金庫Ｄとして、金庫Ａ〜Ｄを四金種循環金庫として設定している。
【００２８】
図４に示すように、現金処理装置は、搬送手段２とこれを制御する制御手段３とを含んで構成されている。搬送手段２は、周知の現金処理装置と同様に、図示しない挾持ローラ、搬送ベルト、ウィング等の方向変換部などから構成される搬送経路２１と、搬送される現金たる紙幣の金種および真性（偽造か否か）を識別する識別部２２と、紙幣の金種識別のみを行い紙幣の真性までは識別しない簡易型の識別部２０と、搬送経路２１及び金庫Ａ〜Ｄを含め現金が搬送され得る部位における現金の位置を検出する複数の位置検出センサ２４とを有している。なお、図４では複数の位置検出センサ２４のうち、搬送経路２１の所定部位における現金の位置を検出する二つの位置検出センサ２４i-1、２４iを例示しているが、その他の位置検出センサ２４の図示を省略している。
【００２９】
制御手段３は、識別部２２或いは簡易型の識別部２０の識別結果、位置検出センサ２４の検出結果等に基づいて搬送手段２を制御するものであり、挿入口１１から投入された紙幣を識別部２２に通過させた後、搬送経路２１に沿って流通させ、随所に設けた分岐部２６ａ〜２６ｇで必要に応じて紙幣を方向変換して、第一金種金庫Ａ、第二金種金庫Ｂ、第三金種金庫Ｃ、固定金庫Ｄ、一時保留部Ｅ、出金保留部Ｆ、払出口１２、不良券回収部Ｇ等へ搬送する動作を行うとともに、金庫Ａ〜Ｄ等から搬送経路２１上への紙幣の繰り出し動作、簡易型の識別部２０における金種識別、更には次なる搬送先である出金口１３や金庫Ａ〜Ｄへの搬送動作などを含む統括的な搬送制御を行うように構成されている。
【００３０】
この紙幣の搬送制御に関連して、制御手段３は、搬送経路２１の複数箇所に設けられた複数の位置検出センサ２４による検出結果に基づいて搬送中の現金が詰まる等の障害が発生しているか否かの判定を行い、障害が発生したと判定した場合に位置検出センサ２４による検出結果に基づいて現金詰まり位置を特定し、現金詰まり位置の近くに配置された発光部５０〜５９を作動させるように構成されている。
【００３１】
この紙幣の搬送制御に対して、さらに制御手段３は、発券装置等の図示しない上位制御装置からの指令や位置検出センサ２４を含む各種センサの検出結果に基づいて金庫Ａ〜Ｄの入出金に関する入出金情報（例えば金庫残高など）を管理する入出金制御を行う。
【００３２】
入出金情報には、搬送中の現金が金庫内現金（内金）および金庫外現金（外金）のいずれであるかを示す搬送中の現金に関する情報が含まれている。入出金情報において金庫内の現金であるとしている現金を「内金」といい、金庫外の現金であるとしている現金を「外金」という。
【００３３】
この入出金制御は、挿入口１１から挿入された現金を金庫Ａ〜Ｄへ入庫する入金処理と、発券等の取引成立に応じて金庫Ａ〜Ｄから払出口１２を通じて釣りを払い出す出金処理とを実行するものであり、入出金制御の態様としては、一次保留部ａ１〜ｃ１及び出金保留部Ｆの双方に現金を保留して入金処理および出金処理を並列に実行する入出金処理並列実行型や、挿入口１１から挿入された現金を金庫Ａ〜Ｄへ完全に格納して入金処理を完了させ、その後に出金処理を実行する入出金処理順次実行型が挙げられる。
【００３４】
本実施形態では、入出金制御を後者の入出金処理順次実行型としており、入金処理において、乗車券の購入ボタンが押下された等の取引成立（取引確定）したことをもって搬送中の現金に関する情報を「外金」から「内金」へ変更し、この搬送中の現金に関する情報の変更に応じて内外金表示部４の表示を変更する取り扱いをしているが、「内金」と「外金」との取り扱いを切り替えるタイミングはこれに限定されるものではない。
【００３５】
上記で述べた搬送制御などを行う具体的な制御手段３は、図４に示すように、入出金制御部３１と、前記入出金情報を記憶する金庫入出金情報記憶部３２と、搬送制御部３３と、障害発生判定部３４と、詰まり位置特定部３５と、発光部５０〜５９の作動（発光）を制御する発光制御部３６と、内外金表示部４の表示を制御する内外金表示制御部３７とを含んで構成されている。
【００３６】
金庫入出金情報記憶部３２は、金庫Ａ〜Ｄ毎にその入出金に関する入出金情報を記憶するものであり、１つの取引毎に金種及び枚数を含めて入金額並びに出金額を記憶するとともに、搬送中の紙幣が内金であるか外金であるかを示す搬送経路２１上を搬送中の紙幣に関する情報を記憶している。
【００３７】
入出金制御部３１は、利用者が操作する図示しない操作部、搬送手段２や各種センサからの信号に基づいて入出金に関する総括的な制御を行うものであり、金庫入出金情報記憶部３２に記憶される入出金情報の管理、取引に応じた紙幣の搬送指令を搬送制御部３３に対して行う。
【００３８】
搬送制御部３３は、入出金制御部３１からの紙幣の搬送指令に基づいて搬送手段２を駆動制御し、紙幣の搬送を行う。
【００３９】
障害発生判定部３４は、搬送手段２に設けられた位置検出センサ２４からの入力に応じて紙幣詰まり等の障害が発生しているか否かを判定し、その判定結果を詰まり位置特定部３５へ伝達する。具体的には、搬送経路２１の所定の二箇所を通過する現金を検出する位置検出センサ２４ｉ−１（２４）及び位置検出センサ２４ｉ（２４）が配置されており、一方の位置検出センサ２４ｉ−１（２４ｉ）により現金の通過が検出されたものの、この検出時点から所定時間経過しても他方の位置検出センサ２４ｉ（２４ｉ−１）で現金の通過が検出されない場合に、障害が発生したと判定する（採用している位置検出センサの数を自然数ｎとして、ｉ＝１、２、…、ｎである）。搬送制御部３３は、搬送手段２に対する搬送指令から、入金時の順方向動作時においてもスイッチバック動作時においても、更には出金時の動作時においても、各部における紙幣の搬送方向に関する情報を有しているため、上流となる位置検出センサ２４と下流となる位置検出センサ２４の関係が逆転しても紙幣の通過、非通過を検出することができる。
【００４０】
詰まり位置特定部３５は、障害発生判定部３４により障害が発生したと判定された場合に、位置検出センサ２４の検出結果に基づいて現金の通過が検出された位置検出センサ２４と現金の通過が検出されない位置検出センサ２４との間の領域を、現金が詰まっている位置である現金詰まり位置として特定する。本実施形態では、上記のような位置検出センサ２４を各部に配置して、現金詰まり位置を図５左欄に示すような領域に区画している。
【００４１】
発光制御部３６は、詰まり位置特定部３５により特定された現金詰まり位置と、図５に示す詰まり位置発光テーブルのデータとに基づいて作動させる発光部５０〜５９を特定し、特定した発光部を作動させる。詰まり位置発光テーブルは、図４に示す記憶部３８に記憶されており、図５に示すように現金詰まり位置と作動させる発光部とを関連付けた情報であり、現金詰まり位置とその位置に近い発光部とを関連付けるとともに、位置検出センサ２４の位置または現金詰まり位置と発光部５０〜５９の位置とが異なる場合であっても作業者が理解し易い位置の発光部を作動させるように関連付けが設定されている。
【００４２】
内外金表示制御部３７は、金庫入出金情報記憶部３２に記憶されている搬送中の現金に関する情報に合致するように内外金表示部４の表示を制御するものである。具体的には、搬送中の現金が内金であるときに内外金表示部４で緑色領域を表示し、搬送中の現金が外金であるときに内外金表示部４で赤色領域を表示するように、内外金表示部４のキープソレノイドを駆動する。
【００４３】
このような制御手段３を実現する具体的な構成は、ＣＰＵ、メモリ及びインターフェイスを有する通常のマイクロコンピュータユニットにより構成され、メモリには図示しない搬送制御処理ルーチンや入出金制御処理ルーチンや障害発生判定処理ルーチンや詰まり位置特定処理ルーチンや図６に示す発光制御処理ルーチンが格納してあり、ＣＰＵが適宜必要なプログラムを呼び出して実行することにより、上記の入出金制御部３１、搬送制御部３３、障害発生判定部３４、位置特定部３５、発光制御部３６および内外金表示制御部３７が実現される。これらの詳細な制御、例えば制御手段３は、紙幣を各金庫Ａ〜Ｃに収納する前に一時的に一旦これらの一次保留部ａ１、ｂ１、ｃ１に保留し、その後、搬送経路２１上に一旦繰り出した後に金庫Ａ〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００４４】
次に、現金の搬送中に現金詰まりが生じた場合の動作について図６及び図７を参照しつつ説明する。ここでは、挿入口１１から１枚の一万円札Ｍｏ１が挿入され、これを金庫Ａの一次保留部ａ１へ搬送する途中で詰まった例を挙げて説明する。一万円札Ｍｏ１が詰まった位置は、図４に示す位置検出センサ２４ａと位置検出センサ２４ｂの間であり、発光部５５が配置されている搬送経路２１の主要部の近傍である。
【００４５】
まず、制御手段３は、位置検出センサ２４において所定順序および所定タイミングで現金が検出されているか否かを判定し、現金詰まりが生じているか否かを常時判定している（図６の処理Ａ１）。一万円札Ｍｏ１が詰まると、位置検出センサ２４ａで現金が検出されているが、位置検出センサ２４ｂで現金が検出されないので、制御手段３は現金が詰まったと判定する（図６の処理Ａ１：ＹＥＳ）。
【００４６】
次に、制御手段３は、位置検出センサ２４の検出結果に基づいて現金詰まり位置を特定する（図６の処理Ａ２）。この例では、位置検出センサ２４ａで現金が検出されているが、位置検出センサ２４ｂで現金が検出されないことをもって位置検出センサ２４ａと位置検出センサ２４ｂとの間で現金が詰まっていると判定する。
【００４７】
次に、制御手段３は、特定した現金詰まり位置と、詰まり位置発光テーブルのデータとに基づいて作動させる発光部５５を特定する（図６の処理Ａ３）。この例では、位置検出センサ２４ａと位置検出センサ２４ｂとの間は搬送経路２１内であるので、作動させる発光部は発光部５５であると特定する。
【００４８】
次に、図７に示すように、特定した発光部５５を作動させる（図６に示す処理Ａ４）。なお、発光部５５の作動は点灯でも点滅でもかまわない。
【００４９】
続けて、内外金表示部４の表示制御について図８及び図９を用いて説明する。ここでは、挿入口１１から１枚の一万円札Ｍｏ１が挿入され、これを金庫Ａの一次保留部ａ１へ搬送し、その後取引が成立して、一次保留部ａ１から金庫Ａへ一万円札Ｍｏ１を搬送する例を挙げて説明する。
【００５０】
図８（ａ）に示すように、取引成立前では一次保留部ａ１に保留している一万円札Ｍｏ１は、預かり金、すなわち金庫Ａの外金であり、金庫入出金情報記憶部３２に搬送中現金が外金であることを示すデータが記憶されており、この記憶に応じて内外金表示制御部３７が内外金表示部４を制御し、内外金表示部４が赤色領域を視認可能な状態に維持し、搬送中現金が外金であることが表示される。
【００５１】
ここで、利用者により乗車券の購入ボタンが押下されて取引が成立すると、図８（ｂ）に示すように、取引成立後では一次保留部ａ１に保留している一万円札Ｍｏ１は、金庫Ａに格納すべき金庫Ａの内金となり、金庫入出金情報記憶部３２に記憶されている搬送中現金を示すデータが「外金」から「内金」へ変更され、この記憶に応じて内外金表示部４が緑色領域を視認可能な状態に維持し、搬送中現金が内金であることが表示される。
【００５２】
以上のように、本実施形態に係る現金処理装置は、挿入口１１および払出口１２を介して金庫Ａ〜Ｄに現金を入出金する現金処理装置であって、挿入口１１、払出口１２および金庫Ａ〜Ｄを接続する搬送経路２１を有し搬送経路２１を介して現金を搬送する搬送手段２と、搬送手段２により搬送される現金が詰まった位置を特定する位置特定手段（位置検出センサ２４、詰まり位置特定部３５）と、搬送経路２１および金庫Ａ〜Ｄを含め現金が搬送される部位又はその近傍に配置された複数の発光部５０〜５９と、位置特定手段（位置検出センサ２４、詰まり位置特定部３５）が現金詰まり位置を特定した場合に現金詰まり位置を外部へ報知する制御手段３とを具備してなり、制御手段３は、複数の発光部５０〜５９のうち位置特定手段（位置検出センサ２４、詰まり位置特定部３５）により特定された現金詰まり位置の近くに配置された発光部５５を作動させて現金詰まり位置を外部へ報知することを特徴とする。
【００５３】
この構成によれば、搬送経路２１および金庫Ａ〜Ｄを含めて現金が搬送される部位又はその近傍に複数の発光部５０〜５９を設け、これら複数の発光部５０〜５９のうち詰まり位置に近い発光部５５を作動させるので、大きな視線の移動を一切要することなく一目で現金の詰まり位置を特定でき、作業性を著しく向上させることができる。
【００５４】
具体的に、本実施形態の位置特定手段は、搬送される現金の位置を検出する複数の位置検出センサ２４と、複数の位置検出センサ２４による検出結果に基づいて現金が詰まった位置を特定する詰まり位置特定部３５とを含んでなり、制御手段３は、詰まり位置特定部３５により特定される現金詰まり位置と作動させる発光部とを関連付けた情報を記憶する記憶部３８と、詰まり位置特定部３５により特定された現金詰まり位置と記憶部３８の記憶とに基づいて発光部５５を作動させる発光制御部３６とを含んでなるので、位置検出センサの位置または現金詰まり位置と発光部の位置とが異なる場合であっても記憶部３８の関連付け情報を適切に設定し、作業者にとって分かりやすい適切な位置の発光部を作動させることができる。
【００５５】
また、本実施形態は、挿入口１１および払出口１２を介して金庫Ａ〜Ｄに現金を入出金する現金処理装置であって、挿入口１１、払出口１２および金庫Ａ〜Ｄを接続する搬送経路２１を有し搬送経路２１を介して現金を搬送する搬送手段２と、搬送中の現金が金庫内現金及び金庫外現金のいずれかであることを表示する一つの内外金表示部４と、搬送中の現金に関する情報を含め金庫Ａ〜Ｄに関する入出庫情報を管理する制御手段３とを具備してなり、制御手段３は、入出庫情報において搬送中の現金が金庫内現金および金庫外現金のいずれか一方である状態からいずれか他方である状態へ変更した場合に、入出庫情報の変更に応じて内外金表示部４の表示を変更するものであり、搬送中の現金が金庫内現金及び金庫外現金のいずれかであることを表示する内外金表示部４が一つだけ設けられているので、詰まった現金が金庫内現金であるか否かを作業者が一目で把握することが可能となり、復旧作業の作業効率を向上させることができる。
【００５６】
この場合の内外金表示部４は、搬送経路２１及び金庫Ａ〜Ｄを含め現金が搬送される部位とともに一側面側から視認可能な位置に配置されているので、現金が詰まっている部位とともに内外金表示部４を視認可能であり、視線の移動を要さずに復旧作業の作業効率を向上させることができる。
【００５７】
さらに、本実施形態で採用する内外金表示部４が、搬送中の現金が金庫内現金及び金庫外現金のいずれかであることを表す表示を電磁的に切り替えて、表示を次の切り替え時まで機械的に維持するキープソレノイドであるので、現金詰まり時等の障害復旧時に電源を切断することが可能になり、その場合にも内外金表示部の表示が１箇所のみにおいて適切になされるため、複数の内外金表示部を用いた場合の機械的な遅れにより表示に齟齬が生じる不具合等も有効に解消することが可能となる。
【００５８】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５９】
例えば、本実施形態では、入出金情報に搬送中現金に関する情報を含めて金庫入出金情報記憶部３２に記憶しているが、搬送中現金に関する情報を記憶せずに、初期化処理を開始した時点や、取引が成立した等の所定条件の成立に応じて内外金表示部４の表示を変更し、結果的に内外金表示部４の表示を通じて制御手段３が搬送中現金に関する情報を管理しているように構成してもよい。すなわち、搬送中現金に関する情報を内外金表示部４の表示を通じて結果的に管理（作業者が把握）することができれば、必ずしも搬送中現金に関する情報をメモリに記憶することを要するものではない。
【００６０】
また、本実施形態では、一つの発光部５５を作動させているが、複数の発光部を作動させるようにしてもよく、例えば、現金の搬送軌跡を示すように複数の発光部５０〜５９を作動させると、作業者にとってより一層現金詰まり位置を特定しやすくすることができる。
【００６１】
また、本実施形態では、金庫Ａ〜Ｄを四金種循環金庫としているが、金庫Ａ〜Ｄに格納する金種は本実施形態のものに限定されるものでなく、どの金種を格納することも可能である。また、固定式の金庫Ｄを二千円札と五千円札を格納する混合金庫とし、金庫Ａに千円札、金庫Ｂに一万円札を格納する循環金庫とし、金庫Ｃを多用途に利用可能な自在金庫に設定して、現金の補給及び回収を目的として現金処理装置を停止させることなく運用する、いわゆる無停止補給、無停止回収を実現した金庫設定も可能である。このような様々な金庫の設定に対しても本発明を適用することが可能である。
【００６２】
また、各部の具体的な構成は、上述した実施形態のみに限定されるものではなく、本発明の趣旨を逸脱しない範囲で種々変形が可能である。
【符号の説明】
【００６３】
１………紙幣ブロック
１１……挿入口
１２……払出口
Ａ〜Ｄ…金庫
２………搬送手段
２１……搬送経路
２４……位置検出センサ
３………制御手段
４………内外金表示部
３５……詰まり位置特定部
３６……発光制御部
３８……記憶部
５０〜５９…発光部
【図１】
2011053886.tif 000003
【図２】
2011053886.tif 000004
【図３】
2011053886.tif 000005
【図４】
2011053886.tif 000006
【図５】
2011053886.tif 000007
【図６】
2011053886.tif 000008
【図７】
2011053886.tif 000009
【図８】
2011053886.tif 000010
【図９】
2011053886.tif 000011